【手続補正書】
【提出日】平成17年11月8日(2005.11.8)
【手続補正１】
【補正対象書類名】明細書
【補正対象項目名】発明の名称
【補正方法】変更
【補正の内容】
【発明の名称】映像通信システム、サーバ、クライアント端末、映像通信方法、コンピュータプログラム、及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  カメラを制御可能なサーバと、上記サーバから送信された映像データを表示可能なクライアント端末とを備えた映像通信システムであって、
上記サーバは、上記カメラで撮影された映像データ及び当該映像データのパラメータを上記クライアント端末へ送信する送信手段を備え、
上記クライアント端末は、上記サーバから送信された映像データ及び当該映像データのパラメータに加え、当該映像データの送信元である上記サーバのアドレス情報を関連付けて記憶手段に格納する格納手段を備えたことを特徴とする映像通信システム。
【請求項２】  上記パラメータは上記カメラのアングル情報を含むことを特徴とする請求項１に記載の映像通信システム。
【請求項３】  上記パラメータは上記カメラの逆光補正状態に関する情報、絞りに関する情報、及びホワイトバランスに関する情報の少なくともいずれか一つを更に含むことを特徴とする請求項２に記載の映像通信システム。
【請求項４】  上記格納手段は、上記サーバから送信された映像データ、当該映像データのパラメータ、及び当該映像データの送信元である上記サーバのアドレス情報をＸＭＬ(Extensible Markup Language)を使用して格納することを特徴とする請求項１〜３のいずれか１項に記載の映像通信システム。
【請求項５】  上記格納手段は、上記サーバから送信された映像データ、当該映像データのパラメータ、及び当該映像データの送信元である上記サーバのアドレス情報を１つのデータとして格納することを特徴とする請求項１〜３のいずれか１項に記載の映像通信システム。
【請求項６】  上記クライアント端末は、上記記憶手段に格納された映像データを特定するための情報を上記表示手段に表示して所望の映像データを選択可能とする選択手段と、上記選択手段で選択された映像データの送信元である上記サーバのアドレス情報を上記記憶手段から検索する検索手段と、上記検索手段により検索されたアドレス情報で特定される上記サーバに対して接続を行い、上記選択手段で選択された映像データのパラメータを上記サーバに送信するパラメータ送信手段とを備えたことを特徴とする請求項１〜５のいずれか１項に記載の映像通信システム。
【請求項７】  上記サーバは、上記クライアント端末から送信されたパラメータに従って上記カメラのアングルを制御するカメラ制御手段を備えたことを特徴とする請求項６に記載の映像通信システム。
【請求項８】  カメラを制御可能なサーバであって、
上記カメラで撮影された映像データ及び当該映像データのパラメータをクライアント端末へ送信する映像データ送信手段を備えたことを特徴とするサーバ。
【請求項９】  カメラで撮影された映像データ及び当該映像データのパラメータを送信するサーバに接続可能なクライアント端末であって、
上記サーバから送信された映像データ及び当該映像データのパラメータに加え、当該映像データの送信元である上記サーバのアドレス情報を関連付けて記憶手段に格納する格納手段とを備えたことを特徴とするクライアント端末。
【請求項１０】  カメラを制御可能なサーバを用いた映像通信方法であって、
上記カメラで撮影された映像データ及び当該映像データのパラメータをクライアント端末へ送信する手順を有することを特徴とする映像通信方法。
【請求項１１】  カメラで撮影された映像データ及び当該映像データのパラメータを送信するサーバに接続可能なクライアント端末を用いた映像通信方法であって、
上記サーバから送信された映像データ及び当該映像データのパラメータに加え、当該映像データの送信元である上記サーバのアドレス情報を関連付けて記憶手段に格納する手順を有することを特徴とする映像通信方法。
【請求項１２】  カメラを制御可能なサーバを制御するためのコンピュータプログラムであって、
上記カメラで撮影された映像データ及び当該映像データのパラメータをクライアント端末へ送信する処理を実行させることを特徴とするコンピュータプログラム。
【請求項１３】  カメラで撮影された映像データ及び当該映像データのパラメータを送信するサーバに接続可能なクライアント端末を制御するためのコンピュータプログラムであって、
上記サーバから送信された映像データ及び当該映像データのパラメータに加え、当該映像データの送信元である上記サーバのアドレス情報を関連付けて記憶手段に格納する処理を実行させることを特徴とするコンピュータプログラム。
【請求項１４】  請求項１２又は１３に記載のコンピュータプログラムを格納したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、例えばビデオカメラ等によって撮影された映像データを送信するカメラサーバと、カメラサーバから送信された映像データをディスプレイ上に表示し、カメラサーバに対してカメラ制御の指示を行うクライアント端末とを備えた映像通信システム、サーバ、クライアント端末、映像通信方法、コンピュータプログラム、及びコンピュータ読み取り可能な記憶媒体に関する。
【手続補正４】
【補正対象書類名】明細書
【補正対象項目名】０００６
【補正方法】変更
【補正の内容】
【０００６】
【課題を解決するための手段】
本発明による映像通信システムは、カメラを制御可能なサーバと、上記サーバから送信された映像データを表示可能なクライアント端末とを備えた映像通信システムであって、上記サーバは、上記カメラで撮影された映像データ及び当該映像データのパラメータを上記クライアント端末へ送信する送信手段を備え、上記クライアント端末は、上記サーバから送信された映像データ及び当該映像データのパラメータに加え、当該映像データの送信元である上記サーバのアドレス情報を関連付けて記憶手段に格納する格納手段を備えた点に特徴を有する。
本発明によるサーバは、カメラを制御可能なサーバであって、上記カメラで撮影された映像データ及び当該映像データのパラメータをクライアント端末へ送信する映像データ送信手段を備えた点に特徴を有する。
本発明によるクライアント端末は、カメラで撮影された映像データ及び当該映像データのパラメータを送信するサーバに接続可能なクライアント端末であって、上記サーバから送信された映像データ及び当該映像データのパラメータに加え、当該映像データの送信元である上記サーバのアドレス情報を関連付けて記憶手段に格納する格納手段とを備えた点に特徴を有する。
本発明による映像通信方法は、カメラを制御可能なサーバを用いた映像通信方法であって、上記カメラで撮影された映像データ及び当該映像データのパラメータをクライアント端末へ送信する手順を有する点に特徴を有する。
本発明による別の映像通信方法は、カメラで撮影された映像データ及び当該映像データのパラメータを送信するサーバに接続可能なクライアント端末を用いた映像通信方法であって、上記サーバから送信された映像データ及び当該映像データのパラメータに加え、当該映像データの送信元である上記サーバのアドレス情報を関連付けて記憶手段に格納する手順を有する点に特徴を有する。
本発明によるコンピュータプログラムは、カメラを制御可能なサーバを制御するためのコンピュータプログラムであって、上記カメラで撮影された映像データ及び当該映像データのパラメータをクライアント端末へ送信する処理を実行させる点に特徴を有する。
本発明による別のコンピュータプログラムは、カメラで撮影された映像データ及び当該映像データのパラメータを送信するサーバに接続可能なクライアント端末を制御するためのコンピュータプログラムであって、上記サーバから送信された映像データ及び当該映像データのパラメータに加え、当該映像データの送信元である上記サーバのアドレス情報を関連付けて記憶手段に格納する処理を実行させる点に特徴を有する。
本発明によるコンピュータ読み取り可能な記憶媒体は、上記本発明によるコンピュータプログラムを格納した点に特徴を有する。